(57)【特許請求の範囲】
【請求項１】
複数段の棚部がひな壇状に形成され、各段の棚部の後端部に、広告板を立てた状態で挿入するための凹溝が棚部の後端縁に沿って形成され、上記各段の棚部がそれぞれコ字状に形成されてこのコ字状の中央横片が、陳列品を陳列する棚板部に形成され、上下に隣り合う２つの棚部の、下側の棚部のコ字状の後側縦片の下端部と上側の棚部のコ字状の前側縦片の下端部とを、上記両縦片の間に隙間を形成した状態で連結することにより、この隙間で上記凹溝を構成したことを特徴とする陳列台。
【請求項２】
最下段の棚部の前端部に、広告板を立てた状態で挿入するための凹溝が棚部の前端縁に沿って形成されている請求項１記載の陳列台。
【請求項３】
各段の棚部の一側に係合部が形成され、他側の、上記係合部に対応する部分に、上記係合部に着脱自在に係合する被係合部が形成され、２つの陳列台を左右に並べ、一方の陳列台の係合部と他方の陳列台の被係合部とを係合させることにより上記両陳列台を左右に連結できるように構成した請求項１または２記載の陳列台。
【発明の詳細な説明】
【０００１】
【発明の属する技術分野】
本発明は、化粧料（テスター用化粧料等を含む）等の各種の陳列品を店頭等に陳列する陳列台に関するものである。
【０００２】
【従来の技術】
従来から、口紅等の各種化粧料を店頭等に陳列する場合には、図１２に示すような陳列台４０がよく用いられている。この陳列台４０は、ひな壇形に形成されており、各段の上面に多数のテスター品挿通孔４１が穿設されている。そして、サンプル保持体４４の下側に口紅等のテスター品（試供品）４２が保持され、上側に色見本ダミー４３が取着されたテスター化粧品４５を多数（各色ごとに）用意し、上記テスター品挿通孔４１に、上記テスター化粧品４５の下部（テスター品４２の部分）を挿通させて陳列台４０上に載置し、多数並べて陳列するようにしている。このような陳列台４０には、通常、その後部に背板４６が着脱自在に取り付けられており、この背板４６の前面に表示されたＰ０Ｐ広告（図示せず）により、テスター化粧品４５やその商品に関するＰ０Ｐ広告を行うようにしている。
【０００３】
ところが、上記陳列台４０では、これに陳列される全てのテスター化粧品４５を背板４６の前面に表示されたＰ０Ｐ広告だけで広告しているため、各段に陳列されるテスター化粧品４５に合わせたＰ０Ｐ広告を充分に行うことができない。しかも、各段の上面の後端部に塵芥等が筋状に溜まりやすく、すぐに汚くなる。そこで、各段の上面にＰＯＰ広告用シート（図示せず）を寝かせた状態で載置することが考えられる。
【０００４】
【発明が解決しようとする課題】
しかしながら、上記の陳列台４０において、各段の上面にＰＯＰ広告用シートを載置する場合には、ＰＯＰ広告用シート載置用のスペースが必要で、陳列用スペースが小さくなる。しかも、ＰＯＰ広告用シートを各段の上面に寝かせた状態で載置しているため、ＰＯＰ広告用シートのＰＯＰ広告が遠くから見にくい。しかも、依然として、各段の上面の後端部に塵芥等が筋状に溜まりやすいという問題が残っている。
【０００５】
本発明は、このような事情に鑑みなされたもので、充分な陳列用スペースを確保することができ、しかも、遠くからでもＰＯＰ広告等が見やすく、しかも、各段の上面の後端部に塵芥等が溜まらない陳列台の提供をその目的とする。
【０００６】
【課題を解決するための手段】
上記の目的を達成するため、本発明の陳列台は、複数段の棚部がひな壇状に形成され、各段の棚部の後端部に、広告板を立てた状態で挿入するための凹溝が棚部の後端縁に沿って形成され、上記各段の棚部がそれぞれコ字状に形成されてこのコ字状の中央横片が、陳列品を陳列する棚板部に形成され、上下に隣り合う２つの棚部の、下側の棚部のコ字状の後側縦片の下端部と上側の棚部のコ字状の前側縦片の下端部とを、上記両縦片の間に隙間を形成した状態で連結することにより、この隙間で上記凹溝を構成したという構成をとる。
【０００７】
すなわち、本発明の陳列台は、複数段の棚部がひな壇状に形成されており、各段の棚部の後端部に、その後端縁に沿って凹溝が形成されている。そして、上記各凹溝に広告板を立てた状態で挿入することができる。したがって、本発明の陳列台では、各段の棚部の後端部に、広告板を立てた状態で挿入しうる細長い凹溝を形成するだけでよく、各段の棚部に充分な陳列用スペースを確保することができる。しかも、上記各凹溝に広告板を立てた状態で挿入しているため、この広告板の前面に表示されたＰＯＰ広告等を遠くからでも見ることができる。しかも、各段の棚部の後端部に凹溝が形成されているため、各段の棚部の上面の塵芥等は各段の棚部の後端部から上記凹溝に落下し、各段の棚部の上面には溜まらない。なお、広告板としては、各種のＰＯＰ，リーフレット等があげられる。
【０００８】
本発明において、最下段の棚部の前端部に、広告板を立てた状態で挿入するための凹溝が棚部の前端縁に沿って形成されている場合には、本発明の陳列台の前端部にも広告板を立てることができ、さらに充実したＰＯＰ広告等が行える。
【０００９】
本発明において、各段の棚部の一側に係合部が形成され、他側の、上記係合部に対応する部分に、上記係合部に着脱自在に係合する被係合部が形成され、２つの陳列台を左右に並べ、一方の陳列台の係合部と他方の陳列台の被係合部とを係合させることにより上記両陳列台を左右に連結できるように構成した場合には、一方の陳列台の係合部と他方の陳列台の被係合部とを係合させるだけで、簡単に２つの陳列台を左右に並べて連結することができる。
【００１０】
【発明の実施の形態】
つぎに、本発明の実施の形態を図面にもとづいて詳しく説明する。
【００１１】
図１は本発明の陳列台の一実施の形態を示している。この実施の形態では、上記陳列台は、透明アクリル板により一体成形されている。図において、１はコ字状に形成された下側陳列棚（棚部）で、２はコ字状に形成された上側陳列棚（棚部）であり、これら両陳列棚１，２は、図２および図３に示すように、第１連結部分３を介して一体に連結されている。４は上記下側陳列棚１に第２連結部分５を介して一体に連結された前板で、６は上記上側陳列棚２に第３連結部分７を介して一体に連結された後板である。そして、上記前板４と下側陳列棚１のコ字状の前側縦片１１との間、上記下側陳列棚１のコ字状の後側縦片１３と上側陳列棚２のコ字状の前側縦片１４との間、および上記上側陳列棚２のコ字状の後側縦片１６と後板６との間にそれぞれ、ＰＯＰ広告板１７〜１９（図２参照）を立てた状態で支受しうる第１〜第３隙間（凹溝）８〜１０が上記両陳列棚１，２の左右全幅にわたって形成されている（図４参照）。
【００１２】
また、上記両陳列棚１，２の棚板部（コ字状の中央横片）１２，１５には、その一側（図４では、左側）の端面中央から外側に向かって、断面形状Ｌ字状の係合爪（係合部）２０が突設されているとともに、上記一側の端縁部の下面中央に第１棒状部２１が固定されている（図５参照）。上記係合爪２０は、より詳しく説明すると、四角形状の平板部２０ａと、この平板部２０ａの先端から垂下する縦片２０ｂとで構成されている。また、上記両棚板部１２，１５には、その他側（図４では、右側）の端面中央（上記係合爪２０に対応する位置）から内側に向かって、上記係合爪２０の平板部２０ａが着脱自在に係合しうる四角形状の切り欠き部（被係合部）２２が形成されているとともに、上記他側の端縁部の下面中央に第２棒状部２３が固定されている（図５参照）。そして、上記切り欠き部２２のうち、上記第２棒状部２３より内側の部分に、上記係合爪２０の縦片２０ｂが着脱自在に係合しうる係合用隙間２４が形成されている。
【００１３】
上記の構成において、上記陳列台に化粧品（図示せず）を陳列する場合には、上記両陳列棚１，２の棚板部１２，１５に化粧品を陳列し、上記第１〜第３隙間８〜１０にＰＯＰ広告板１７〜１９を立てることを行う。
【００１４】
また、上記陳列台同士を、図６に示すように、左右に連結することができる。上記連結に際しては、一方の陳列台の両棚板部１２，１５の係合爪２０を他方の陳列台の両棚板部１２，１５の切り欠き部２２に近付けたのち（図７参照）、両係合爪２０を両切り欠き部２２の上方に位置決めし（図８参照）、両係合爪２０を下降させて両切り欠き部２２の係合用隙間２４に係合させる（図９参照）ことを行う。なお、図７〜図９では、一方の係合爪２０と、これに対応する一方の切り欠き部２２しか図示せず。
【００１５】
また、図１０に示すように、コ字状に折り曲げたＰＯＰ広告板２６を用い、このＰＯＰ広告板２６のコ字状の前側縦片２６ａを陳列台の第１隙間８に挿入し、コ字状の後側縦片２６ｂを陳列台の第３隙間１０に挿入することにより、陳列台に支受するようにしてもよい。上記ＰＯＰ広告板２６としては、ＰＯＰ広告（図示せず）を表示したものが用いられる。また、上記ＰＯＰ広告板２６を透明アクリル板等によりコ字状体に作製し、このコ字状体の内側に化粧品を配設したり、コ字状体の天板２６ｃに化粧品を載置したりしてもよい。
【００１６】
また、図１１に示すように、有天角筒体に（底板のない四角形箱型に）形成したＰＯＰ広告板２７を用い、このＰＯＰ広告板２７の前側脚部２７ａを陳列台の第１隙間８に挿入し、後側脚部２７ｂを陳列台の第３隙間１０に挿入することにより、陳列台に支受するようにしてもよい。ただし、このＰＯＰ広告板２７の左右両側部２８の底面２８ａは、陳列台の両陳列棚１，２の形状に沿う形状に形成されている。また、このＰＯＰ広告板２７も、上記ＰＯＰ広告板２６と同様に、内側に化粧品を配設したり、天板２７ｃに化粧品を載置したりしてもよい。
【００１７】
このように、上記実施の形態では、下側陳列棚１の前側に第１隙間８を設け、下側陳列棚１と上側陳列棚２との間に第２隙間９を設け、上側陳列棚２の後側に第３隙間１０を設けているため、第１〜第３隙間８〜１０にＰＯＰ広告板１７〜１９を立てた状態で支受することができ、両陳列棚１，２に陳列される化粧品に対応させて、きめ細かいＰＯＰ広告を行うことができる。しかも、塵芥等は上記第１〜第３隙間８〜１０に溜まり、両陳列棚１，２の上面には溜まらない。しかも、陳列台を左右に連結することができ、陳列スペースに合わせた長さに変えることができる。しかも、上記第１〜第３隙間８〜１０は両陳列棚１，２の左右全幅にわたって形成されているため、前後方向に少し撓み、外力等が作用しても、この外力を逃がすことができ、耐久性に優れる。
【００１８】
なお、上記実施の形態では、陳列台は２段に形成されているが、これに限定するものではなく、３段以上に形成されていてもよい。
【００１９】
また、上記実施の形態において、両陳列棚１，２の棚板部１２，１５に多数の孔を穿設し、各孔に口紅等のテスター化粧品４５（図１２参照）を陳列してもよい。
【００２０】
【発明の効果】
以上のように、本発明の陳列台によれば、各段の棚部の後端部に、広告板を立てた状態で挿入しうる細長い凹溝を形成するだけでよく、各段の棚部に充分な陳列用スペースを確保することができる。しかも、上記各凹溝に広告板を立てた状態で挿入しているため、この広告板の前面に表示されたＰＯＰ広告等を遠くからでも見ることができる。しかも、各段の棚部の後端部に凹溝が形成されているため、各段の棚部の上面の塵芥等は各段の棚部の後端部から上記凹溝に落下し、各段の棚部の上面には溜まらない。
【００２１】
本発明において、最下段の棚部の前端部に、広告板を立てた状態で挿入するための凹溝が棚部の前端縁に沿って形成されている場合には、本発明の陳列台の前端部にも広告板を立てることができ、さらに充実したＰＯＰ広告等が行える。
【００２２】
本発明において、各段の棚部の一側に係合部が形成され、他側の、上記係合部に対応する部分に、上記係合部に着脱自在に係合する被係合部が形成され、２つの陳列台を左右に並べ、一方の陳列台の係合部と他方の陳列台の被係合部とを係合させることにより上記両陳列台を左右に連結できるように構成した場合には、一方の陳列台の係合部と他方の陳列台の被係合部とを係合させるだけで、簡単に２つの陳列台を左右に並べて連結することができる。
【図面の簡単な説明】
【図１】本発明の陳列台の一実施の形態を示す斜視図である。
【図２】上記陳列台の左側面図である。
【図３】上記陳列台の右側面図である。
【図４】上記陳列台の平面図である。
【図５】上記陳列台の要部の断面図である。
【図６】２つの陳列台を左右に連結した状態を示す斜視図である。
【図７】本発明の作用を示す斜視図である。
【図８】本発明の作用を示す断面図である。
【図９】本発明の作用を示す断面図である。
【図１０】コ字状に折り曲げたＰＯＰ広告板の使用態様を示す斜視図である。
【図１１】有天角筒体に形成したＰＯＰ広告板の使用態様を示す斜視図である。
【図１２】  従来の陳列台を示す斜視図である。
【符号の説明】
１  下側陳列棚
２  上側陳列棚
８〜１０  隙間
１７〜１９  ＰＯＰ広告板
【図１】
0003710681.tif 000002
【図２】
0003710681.tif 000003
【図３】
0003710681.tif 000004
【図４】
0003710681.tif 000005
【図５】
0003710681.tif 000006
【図６】
0003710681.tif 000007
【図７】
0003710681.tif 000008
【図８】
0003710681.tif 000009
【図９】
0003710681.tif 000010
【図１０】
0003710681.tif 000011
【図１１】
0003710681.tif 000012
【図１２】
0003710681.tif 000013